(57)【要約】高速広域ネットワーク（１０５）から情報を受信し、その情報の少なくとも一部を無線装置（２３０）に通信する通信システムである。前記情報は、第１の特徴と第２の特徴を有する情報を含む。前記システムは、ネットワークと通信する少なくとも１つのスイッチ（１６０）を有し、前記スイッチは、前記情報を受信し、前記第１と第２の特徴に部分的に基づいて前記情報の流れを制御するように構成される。前記システムは、少なくとも１つのスイッチと通信するアクセスポイント（１５０）を更に有する。アクセスポイントは、コントローラ（２００）とアンテナ（２１０）とを有し、ネットワークから前記情報の少なくとも一部を受信し、前記受信された情報の少なくとも一部を無線装置（２３０）に無線送信するように構成される。
2005515688.tif 000002
【特許請求の範囲】
【請求項１】
ビルを含む施設に設置され、高速広域ネットワークと複数の移動無線装置との間の高速通信を促進する高速広域ネットワークで利用される通信システムであって、
前記複数の移動無線装置のうちの少なくともいくつかが、前記ビルから離れて設置され、
情報が、第１の特徴を有する情報と、第２の特徴を有する情報とを含み、
前記システムが、
前記高速広域ネットワークと通信する少なくとも１つのスイッチであって、前記高速広域ネットワークから情報を受信し、前記第１と第２の特徴に部分的に基づいて前記情報の流れを制御するように構成された少なくとも１つのスイッチと、
前記少なくとも１つのスイッチと通信するアクセスポイントであって、コントローラとアンテナを有し、
前記少なくとも１つのスイッチから前記情報の少なくとも一部を受信し、前記受信された情報が前記第２の特徴を部分的に有し、
前記受信された情報の少なくとも一部を前記複数の移動無線装置に無線で送信し、
前記複数の移動無線装置から情報を更に受信し、前記高速広域ネットワークに無線で受信された情報の少なくとも一部を送信する
ように構成されたアクセスポイントと
を有し、
前記アクセスポイントと前記複数の移動無線装置の間で無線通信される情報が、音声と映像のうちの少なくとも１つに対応する通信システム。
【請求項２】
請求項１に記載の通信システムであって、
前記第１と第２の特徴が、それぞれ第１と第２の周波数帯域であり、
前記高速広域ネットワークからの情報が、前記第１の周波数帯域を有する第１のセットの信号と、前記第２の周波数帯域を有する第２のセットの信号とを含み、
前記少なくとも１つのスイッチが、前記第１と第２の周波数帯域に部分的に基づいて、前記受信された情報の流れを制御するように更に構成され、
前記アクセスポイントが、前記第２の周波数帯域を有する前記第２のセットの信号の少なくとも一部を受信するように更に構成された通信システム。
【請求項３】
請求項２に記載の通信システムであって、
前記少なくとも１つのスイッチと通信する通信装置であって、
前記第１の周波数帯域を有する前記第１のセットの信号の少なくとも一部を受信し、
前記受信された第１のセットの信号の少なくとも一部を通信する
ように構成された通信装置を更に有する通信システム。
【請求項４】
請求項３に記載の通信装置であって、
前記第１のセットの信号が、テレビ信号と電話信号とからなるグループから選択された信号を有する通信装置。
【請求項５】
請求項１に記載の通信システムであって、
前記第１と第２の特徴が、それぞれ第１と第２のコードであり、
前記高速広域ネットワークからの情報が、前記第１のコードを有する情報と、前記第２のコードを有する情報とを含み、
前記少なくとも１つのスイッチが、前記第１と第２のコードに部分的に基づいて、前記受信された情報の流れを制御するように更に構成され、
前記アクセスポイントが、前記第２のコードを有する情報の少なくとも一部を受信するように更に構成された通信システム。
【請求項６】
請求項５に記載の通信システムであって、
前記少なくとも１つのスイッチと通信する通信装置であって、
前記第１のコードを有する情報の少なくとも一部を受信し、
前記第１のコードを有する受信された情報の少なくとも一部を通信する
ように構成された通信装置を更に有する通信システム。
【請求項７】
請求項６に記載の通信システムであって、
前記通信装置が、コンピュータと、ハンドヘルド装置と、個人データ端末と、インターネット装置とからなるグループから選択された通信システム。
【請求項８】
請求項１に記載の通信システムであって、
前記情報がパケットデータを含み、
前記第１と第２の特徴が、それぞれ第１と第２のアドレスであり、
前記高速広域ネットワークからの情報が、前記第１のアドレスを有するデータパケットと、前記第２のアドレスを有するデータパケットとを含み、
前記少なくとも１つのスイッチが、前記第１と第２のアドレスに部分的に基づいて、前記受信された情報の流れを制御するように更に構成され、
前記アクセスポイントが、前記第２のアドレスを有するデータパケットの少なくとも一部を受信するように更に構成された通信システム。
【請求項９】
請求項８に記載の通信システムであって、
前記少なくとも１つのスイッチと通信する通信装置であって、
前記第１のアドレスを有するデータパケットの少なくとも一部を受信し、
前記第１のアドレスを有する受信されたデータパケットの少なくとも一部を通信する
ように構成された通信装置を更に有する通信システム。
【請求項１０】
請求項９に記載の通信システムであって、
前記通信装置が、パーソナルコンピュータと、ハンドヘルド装置と、個人データ端末と、インターネット装置とからなるグループから選択された通信システム。
【請求項１１】
高速広域ネットワークを提供するように構成されたインフラであって、前記ネットワークが少なくとも２つの特徴を有する情報を転送するように動作可能なインフラと、
施設において、
前記高速広域ネットワークと通信する少なくとも１つのスイッチであって、前記少なくとも２つの特徴に部分的に基づいて、前記転送された情報の少なくとも一部の流れを受信及び制御するように構成された少なくとも１つのスイッチと、
前記少なくとも１つのスイッチと通信する通信装置であって、前記第１の特徴を有する前記転送された情報の少なくとも一部を受信及び通信するように構成された通信装置と、
前記少なくとも１つのスイッチと通信するアクセスポイントであって、コントローラとアンテナを有し、前記第２の特徴を有する前記転送された情報の少なくとも一部を受信し、無線で送信するように構成されたアクセスポイントと、
アンテナを有する複数の移動無線装置であって、前記アクセスポイントから無線で送信されたデータの少なくとも一部を受信して解釈し、更なる情報を前記アクセスポイントに無線で送信するように構成された複数の移動無線装置と
を有する通信システムであって、
前記アクセスポイントと前記複数の移動無線装置の間で無線通信される情報が、音声と映像のうちの少なくとも１つに対応する通信システム。
【請求項１２】
請求項１１に記載の通信システムであって、
前記情報が、第１のコードを有する情報と、第２のコードを有する情報とを含み、
前記少なくとも１つのスイッチが、前記第１と第２のコードに部分的に基づいて、前記受信された情報の流れを制御するように更に構成され、
第１の通信装置が、前記第１のコードを有する情報の少なくとも一部を受信するように更に構成され、
前記アクセスポイントが、前記第２のコードを有する情報の少なくとも一部を受信するように更に構成された通信システム。
【請求項１３】
請求項１１に記載の通信システムであって、
前記情報が、第１の周波数帯域を有する第１のセットの信号と、第２の周波数帯域を有する第２のセットの信号とを含み、
前記少なくとも１つのスイッチが、前記第１と第２の周波数帯域に部分的に基づいて、前記受信された情報の流れを制御するように更に構成され、
第１の通信装置が、前記第１の周波数帯域を有する前記第１のセットの信号の少なくとも一部を受信するように更に構成され、
前記アクセスポイントが、前記第２の周波数帯域を有する前記第２のセットの信号の少なくとも一部を受信するように更に構成された通信システム。
【請求項１４】
請求項１１に記載の通信システムであって、
前記情報が、第１のアドレスを有するデータパケットと、第２のアドレスを有するデータパケットとを含み、
前記少なくとも１つのスイッチが、前記第１と第２のアドレスに部分的に基づいて、前記受信された情報の流れを制御するように更に構成され、
第１の通信装置が、前記第１のアドレスを有するデータパケットの少なくとも一部を受信するように更に構成され、
前記アクセスポイントが、前記第２のアドレスを有するデータパケットの少なくとも一部を受信するように更に構成された通信システム。
【請求項１５】
請求項１１に記載の通信システムであって、
前記情報が、第１の周波数帯域を有する第１のセットの信号と、第２の周波数帯域を有する第２のセットの信号とを含み、
前記第２のセットの信号が、第１のアドレスを有するデータパケットと、第２のアドレスを有するデータパケットとを含み、
前記通信装置が、第１の通信装置であり、
前記通信システムが、第２の通信装置を更に有し、
前記少なくとも１つのスイッチが、前記第１と第２の周波数帯域に部分的に基づいて、及び前記第１と第２のアドレスに部分的に基づいて、前記受信された情報の流れを制御するように更に構成され、
第１の通信装置が、前記第１の周波数帯域を有する前記第１のセットの信号の少なくとも一部を受信するように更に構成され、
第２の通信装置が、前記第２の周波数帯域と前記第１のアドレスとを有する前記情報の少なくとも一部を受信するように更に構成され、
前記アクセスポイントが、前記第２の周波数帯域と前記第２のアドレスとを有する前記情報の少なくとも一部を受信するように更に構成された通信システム。
【請求項１６】
高速広域ネットワークから第１の通信装置と第２の通信装置と複数の移動無線装置への情報の流れを制御する方法であって、
前記高速広域ネットワークが、構造で実装され、
施設において、
前記高速広域ネットワークから情報を受信し、前記情報が第１と第２の特徴を有し、前記特徴のそれぞれが異なり、
前記第１と第２の特徴に部分的に基づいて前記情報を分割し、
前記第１の特徴を有する情報の少なくとも一部を前記第１の通信装置に送信し、
前記第２の特徴を有する情報の少なくとも一部を前記第２の通信装置に送信し、
前記受信された情報の少なくとも一部を前記複数の移動無線装置に無線で送信し、
更なる情報を前記複数の移動無線装置から無線で受信する
ことを有し、
前記アクセスポイントと前記複数の移動無線装置の間で無線通信される情報が、音声と映像のうちの少なくとも１つに対応する通信システム。
【請求項１７】
請求項１６に記載の方法であって、
前記情報が、第１の周波数帯域を有する第１のセットの信号と、第２の周波数帯域を有する第２のセットの信号とを含み、
前記第１の特徴が、前記第１の周波数帯域に少なくとも部分的に基づき、前記第２の特徴が、前記第２の周波数帯域に少なくとも部分的に基づき、
前記情報の分割が、前記第１の周波数帯域を有する情報を、前記第２の周波数帯域を有する情報から分割することを有する方法。
【請求項１８】
請求項１７に記載の方法であって、
前記情報が、第１のアドレスを有するデータパケットと、第２のアドレスを有するデータパケットとを含み、
前記第１の特徴が、前記第１のアドレスに少なくとも部分的に基づき、前記第２の特徴が、前記第２の周波数帯域と前記第２のアドレスに少なくとも部分的に基づき、
前記情報の分割が、前記第１のアドレスを有するデータパケットを、前記第２のアドレスを有するデータパケットから分割することを有する方法。
【請求項１９】
請求項１７に記載の方法であって、
前記情報が、第１のコードを有する情報と、第２のコードを有する情報とを含み、
前記第１の特徴が、前記第１のコードに少なくとも部分的に基づき、前記第２の特徴が、前記第２の周波数帯域と前記第２のコードに少なくとも部分的に基づき、
前記情報の分割が、前記第１のコードを有する情報を、前記第２のコードを有する情報から分割することを有する方法。
【請求項２０】
請求項１６に記載の方法であって、
前記情報を受信するステップが、第１と第２と第３の特徴を有する情報を受信することを有し、
前記無線で送信するステップが、前記第３の特徴を有する情報の少なくとも一部を前記無線装置に無線で送信することを有する方法。
【請求項２１】
請求項１に記載の通信システムであって、
前記複数の移動無線装置のうちの少なくともいくつかが、前記施設の外に設置される通信システム。
【請求項２２】
請求項１に記載の通信システムであって、
前記アクセスポイントと前記複数の移動無線装置との間で通信される情報が、音声と映像と高速データサービスとのうちの少なくとも２つに対応する通信システム。
【発明の詳細な説明】
【技術分野】
【０００１】
［関連出願］
本出願は、以前に出願されたＳＹＳＴＥＭ  ＦＯＲ  ＡＮＤ  ＭＥＴＨＯＤ  ＯＦ  ＩＭＰＬＥＭＥＮＴＩＮＧ  ＷＩＲＥＬＥＳＳ  ＮＥＴＷＯＲＫという題名の２００２年１月１１日に出願の米国仮特許出願第６０／３４７，５５３号の利益を主張する。
［技術分野］
本発明は、無線近郊エリアネットワーク（無線ＮＡＮ又はＷＮＡＮ）を実施するシステムと方法に関するものである。
【背景技術】
【０００２】
無線ＮＡＮは、一種の“パケット交換無線移動データネットワーク”である。以前のパケット交換無線移動データネットワークの例は、ＡＲＤＩＳ（ＤＡＴＡＴＡＣ又はＭｏｔｉｅｎｔとしても知られる）と、ＭＯＢＩＴＥＸと、ＭｅｔｒｉｃｏｍのＲｉｃｏｃｈｅｔである。無線ＮＡＮは、柔軟なパケット交換ネットワークであり、その受信可能範囲の地理的領域は、無線ローカルエリアネットワーク（ＷＬＡＮ）の受信可能領域から無線メトロポリタンエリアネットワーク（ＷＭＡＮ）又は無線広域ネットワーク（ＷＷＡＮ）までのいずれかであるように設計され得る。
【０００３】
図６と７は、２つの先行技術の無線ネットワーク１０と２０の分類を示したものである。図６と７に表される通り、一般的な無線ネットワークは３つの主要な構成要素を有する。１）エンドユーザの無線装置２５（例えば、電話、ページャー、個人データ端末、ラップトップコンピュータ、ハンドヘルド移動コンピュータ装置等）と、２）受信可能範囲３０の地理的領域に渡って設置された無線周波数トランシーバの集合（例えば、図６に示されるように携帯電話システムに関連する都市中に分散された携帯電話タワーと基地局、図７に示されるように無線ローカルエリアネットワークに関連するビル内に設置された無線アクセスポイント等）と、３）その中で、及び他の有線ネットワーク（例えば、インターネット、公衆交換電話ネットワーク等）に、無線周波数（ＲＦ）トランシーバの集合を相互接続するインフラ３５（例えば、図６の携帯基地局を相互接続する有線インフラと、図７の無線アクセスポイントを相互接続する有線データネットワーク等）である。例えば、図６に表される通り、既存の無線電話システム１０は、ＲＦトランシーバを介して基地局と通信する携帯電話を有する。基地局は、固定の構造と有線の相互接続を使用して、他の基地局及び他のネットワーク（例えば、公衆交換電話ネットワーク）と通信する。更なる例として、図７に表される通り、無線ローカルエリアネットワーク環境の無線移動コンピュータ装置は、無線アクセスポイントと通信する。次に、無線アクセスポイントは、固定の有線インフラを使用して、他のアクセスポイント及び他のネットワーク（例えば、インターネット）と通信する。
【発明の開示】
【発明が解決しようとする課題】
【０００４】
固定のインフラとそのような広域ネットワークの有線構成要素との高コスト（すなわち前述の第２と第３の構成要素の高コスト）のため、ＴＣＰ／ＩＰ互換の音声、映像及びデータのアプリケーションに対応することができる提供可能な商用の高速（１から１００Ｍｂｐｓ）無線広域ネットワークの実装は妨げられている。例えば、無線移動データシステムでは、複数の無線装置との高速通信に対応する有線インフラを確立するコストが、そのような高速ネットワークの実装を妨げている。従って、地上の無線広域ネットワーク（前述の３つの例を含む）の既知の既存の実装は、高速データサービスに対応することができず、ユーザに音声、映像及びデータサービスの統合されたセットを配信することができない。
【０００５】
モバイル装置用の統合された音声、映像及びデータサービスに対応することができる多目的の高速（１から１００Ｍｐｂｓ）無線広域ネットワークを実施するための代替のコスト効率の良い方法に対する関心が存在する。
【課題を解決するための手段】
【０００６】
本発明は、高価な専用の新しい固定の構造と、専用の新しい有線相互接続インフラを構築する必要なく、高速無線広域ネットワークサービスを実施する新規なシステムと方法を有する（すなわち、前述のようなネットワークの第２と第３の構成要素の高コストと複雑性を除去する）。米国のほとんど全ての都市と郊外と地方の住民は、１つ以上のケーブルＴＶ運営者、地域電話会社、及び／又は衛星電気通信サービスプロバイダによりサービス提供されている。ケーブルＴＶ運営者の場合、その運営者は高帯域の同軸又はＨＦＣ（光ファイバと同軸のハイブリッド）の高価な有線インフラを所有し、運営する。ＴＶサービスを配信することに加えて、既存のケーブルＴＶインフラは、その加入者に双方向の高速データサービスを配信することもできる。地域電話会社の場合、その会社は銅線と光ファイバのローカルループの高価な有線インフラを所有し、運営する。電話サービスを配信することに加えて、既存のローカルループのインフラは、一群のデジタル加入者線（ＤＳＬ）技術を通じてその加入者に双方向の高速データサービスを配信することもできる。最後に、衛星電気通信サービスプロバイダの場合、そのプロバイダは高価な衛星インフラをしばしば所有し、運営する。ＴＶサービスを配信することに加えて、既存の衛星インフラは、その加入者に双方向の高速データサービスを配信することもできる。
【０００７】
多様な実施例において、本発明のシステムと方法は、広域の地理的領域で高速の標準に基づく無線ネットワークを実施するために、既存の高価な全国的なインフラを利用する。本発明は、既存のインフラを少なくとも部分的に使用する。更に、それは、高速（１から１００Ｍｂｐｓ）接続に対応し、統合された音声、映像及びデータサービスを提供する業界に認められた国家標準と国際標準を利用する。
【０００８】
従って、本発明は、施設に設置された通信システムを提供する。前記通信システムは、高速広域ネットワークから情報を受信し、その情報の少なくとも一部を無線装置に伝達する。前記情報は、第１の特徴を有する情報と、第２の特徴を有する情報とを有する。前記システムは、ネットワークと通信する少なくとも１つのスイッチを有し、その少なくとも１つのスイッチは、前記第１と第２の特徴に部分的に基づいて、情報を受信し、情報の流れを制御するように構成される。前記システムは、少なくとも１つのスイッチと通信するアクセスポイントを有する。アクセスポイントは、コントローラとアンテナとを有し、ネットワークから前記情報の少なくとも一部を受信するように構成される。受信された情報は、前記第２の特徴を部分的に有する。アクセスポイントは、受信された情報の少なくとも一部を無線装置に無線で送信するように更に構成される。
【０００９】
その他の実施例において、本発明は、高速広域ネットワークを提供するように構成されたインフラを有する通信システムを提供する。前記ネットワークは、少なくとも２つの特徴を有する情報を転送するように動作可能である。前記システムは、施設において、ネットワークと通信する少なくとも１つのスイッチを有し、その少なくとも１つのスイッチは、前記少なくとも２つの特徴に部分的に基づいて、転送された情報の少なくとも一部の流れを受信及び制御するように構成される。前記システムはまた、少なくとも１つのスイッチと通信する通信装置を有する。前記通信装置は、第１の特徴を有する転送された情報の少なくとも一部を受信及び通信するように構成される。前記システムは、少なくとも１つのスイッチと通信するアクセスポイントを更に有する。アクセスポイントは、第２の特徴を有する転送された情報の少なくとも一部を受信し、無線で送信するように構成される。前記システムはまた、アンテナを有し、アクセスポイントから無線で転送されたデータの少なくとも一部を受信及び解釈するように構成される無線装置を有する。
【００１０】
更にその他の実施例において、本発明は、広域ネットワークから第１の通信装置と第２の通信装置と無線装置への情報の流れを制御する方法を提供する。前記方法は、施設で、広域ネットワークから情報を受信することを有する。前記情報は第１と第２と第３の特徴を有しており、その特徴のそれぞれが異なる。前記方法は、前記第１と第２と第３の特徴に部分的に基づいて前記情報を分割し、前記第１の特徴を有する情報の少なくとも一部を前記第１の通信装置に送信し、前記第２の特徴を有する情報の少なくとも一部を前記第２の通信装置に送信し、前記第３の特徴を有する情報の少なくとも一部を前記無線装置に無線で送信する。
【発明の効果】
【００１１】
本発明のその他の特徴が、詳細な説明と添付の図面を考慮することにより明らかになる。
【発明を実施するための最良の形態】
【００１２】
本発明の何らかの実施例を説明する前に、当然のことながら、本発明はその用途において、以下の説明又は添付の図面に示された構造の詳細と構成要素の構成に限定されない。本発明は他の実施例も可能であり、多様な方法で実施又は実行され得る。また、当然のことながら、ここで使用される表現と用語は、説明の目的のためであり、限定としてみなされるべきではない。“含む”、“からなる”又は“有する”の使用とその変形は、ここではその後に記載された項目及びその同等のものと、更なる項目を含むことを意味する。
【００１３】
本発明を具体化する通信システム１００の１つの実施例が図１に概略的に示されている。この実施例では、システム１００は、既存のケーブルのインフラ１０５と、ケーブルのインフラ１０５に接続された複数の施設１１０とを一般的に有する。ケーブルのインフラ１０５は、サービスプロバイダの制御センタを有するケーブル・ヘッドエンド１１５を有する。制御センタは、複数の施設１１０に配信される情報又は素材を集める。ケーブルのインフラ１０５は、ケーブルのヘッドエンド１１５から複数のノード１２０に情報を配信するために、高帯域の同軸又は光ファイバと同軸のハイブリッドを利用する。各ノード１２０は、同軸ケーブル１２５を使用して、複数（例えば５００から２０００）の施設１１０にサービス提供する。ケーブルのインフラ１０５はまた、弱い信号を増幅するためのリピータ（例えばリピータ１３０）を有することがある。
【００１４】
一般的に、ケーブルのインフラ１０５は、サービスプロバイダがその加入者に情報を配信することを可能にするネットワークに対応する。ここで使用される“情報”という用語は、信号（例えば、テレビ信号、電話信号、アナログ信号、デジタル信号等）とデータ（例えば、パケットデータ、非パケットデータ等）を有するものと広く解釈される。例えば、図１に示される実施例では、ケーブルのインフラ１０５は、テレビサービスと双方向の高速データサービスを複数の施設１１０に配信するネットワークに対応する。更に、ケーブル・ヘッドエンド１１５は他のネットワーク１３２（例えば、インターネット、公衆及びプライベートデータネットワーク、通信ネットワーク等）と通信するように動作可能である。ケーブル・ヘッドエンド１１５と他のネットワーク１３２との間の通信は、有線及び／又は無線通信を介することがある。テレビと高速データサービスを配信する既存のケーブル運営者の例は、ＲＯＡＤ  ＲＵＮＮＥＲ（商標）高速オンライン及びケーブルテレビサービスを提供するＴｉｍｅ−Ｗａｒｎｅｒ  Ｃａｂｌｅである。
【００１５】
再び図１を参照すると、システム１００は、ケーブルのインフラ１０５に接続された複数の施設１１０を有する。ここで使用される“施設”という用語は、サービスプロバイダからエンドサービス（例えばテレビ及びデータ転送サービス）を受信するビル、家、事務所、又は区画に構築されたそれと同様のものを含む地域の何らかの区画のことを参照する。地域の区画１３５と地域１３５に構築された住宅１３８とを有する例示的な施設１３０が図１に示されている。
【００１６】
施設１３０は、少なくとも１つのスイッチ１４０と、少なくとも１つのスイッチ１４０に接続された少なくとも１つの通信装置１４５と、少なくとも１つのスイッチに接続されたアクセスポイント１５０とを一般的に有する。ここで使用される“接続”という用語とその変形（例えば、接続する、接続された、接続している等）は、直接接続と間接接続を含む。施設１３０はまた、アダプタ１５５（一般的に“ケーブルモデム”と呼ばれる）を一般的に有する。
【００１７】
スイッチ１４０はネットワークから情報を受信し、接続された１つ以上の通信装置１４５とアクセスポイント１５０にその情報を制御可能に転送又は送信する。各スイッチ１４０は、統合された及び／又は別々の回路構成要素で構成されることがあり、アナログ及び／又はデジタルに基づくことがある。例えば、図１に示される通り、第１のスイッチ１６０は、高速データサービスからテレビサービスを分離する回路（例えばスプリッタ）である。すなわち、第１のスイッチは、テレビサービスに関連する第１の周波数帯域又は第１の特徴を有する第１のセットの信号を、高速データサービスに関連する第２の周波数帯域又は第２の特徴を有する第２のセットの信号から分離する。しかし、留意すべき点は、本発明は２つの周波数帯域に限定されないという点である。何らかの数の周波数帯域が本発明で使用されることがある。
【００１８】
第２のスイッチ１６５は、データパケットのアドレスに基づいて、パケットデータを制御可能に送信する装置である。図示の実施例では、第２のスイッチは、プロセッサ１７０とメモリ１７５とを有する。メモリ１７５は、命令を有する１つ以上のソフトウェアモジュールを有し、プロセッサ１７０は、その命令を検索し、解釈し、実行して、エンド装置（例えば第２の通信装置と無線装置、以下に説明する）用の多数のアドレスを発行し、確認し、格納し、認識するように第２のスイッチ１６５を制御する。格納されたアドレスに基づいて、第２のスイッチ１６５は、取り付けられたエンド装置へのデータの流れとそれからのデータの流れを制御する。本発明の第２のスイッチとして使用され得るスイッチの例は、ルータ、ハブ又は同様の装置を含む。１つ以上のスイッチ１４０の１つ以上の動作が、施設１３０に設置された他の要素内に組み込まれることがあることも、想定される。例えば、図２に示される通り、第２のスイッチは、“拡張”ケーブルモデム１５５Ａ内に組み込まれる。その他の例では、第２のスイッチ１６５の１つ以上の動作は、アクセスポイント１５０により実行されることがある。１つ以上のスイッチ１４０の他の例示的な構成が、図３と４に示される実施例に関連して説明される。留意すべき点は、図１−４は、受信信号の周波数帯域及び／又は受信データのアドレスに基づいて情報の流れを制御する１つ以上のスイッチ１４０に関連して説明されるが、他の特徴（例えばコード又は状態）が使用されることがある。更に、いくつかの実施例において、特徴を識別することの欠如が特徴として使用される（例えば、リードコード（ｌｅａｄ  ｃｏｄｅ）を有さないデータからリードコード（ｌｅａｄ  ｃｏｄｅ）を有するデータを分離すること、又は非パケットデータからパケットデータを分離すること）。
【００１９】
１つ以上の通信装置１４５は、１つ以上のスイッチ１４０を介してケーブルネットワークから情報を直接的又は間接的に受信し、受信情報を解釈する。例えば、図１に示される通り、１つ以上の通信装置１４５は第１と第２の通信装置１８０と１８５を有する。
【００２０】
第１の通信装置１８０は、第１のスイッチ１６０からテレビサービスを受信し、テレビ番組をユーザに伝達する。例示的な第１の通信装置１８０は、ケーブルボックス、アナログ又はデジタルテレビ等を含む。以下に明らかになる通り、他の実施例では、第１の通信装置１８０は、パケットデータを含まない情報を解釈し、通信するように動作可能な何らかの通信装置（例えば、電話、ファクシミリ機等）であることがある。
【００２１】
第２の通信装置１８５は、第２のスイッチ１６５から高速データサービスを受信し、受信データを解釈する。例示的な第２の通信装置１８５は、コンピュータと、インターネット装置と、個人データ端末と、ハンドヘルド装置と、同様の装置とを含む。ここで使用される“コンピュータ”は、命令に従って情報を受け取り、処理する電子装置であり、“インターネット装置”は、ワールド・ワイド・ウェブにアクセスするために設計された装置であり、“ハンドヘルド装置”は、片手で保持し、もう一方の手で動作するほど十分に小さい装置であり、“個人データ端末”は、個人情報用のオーガナイザーとしてサービス提供するハンドヘルド・コンピュータである。
【００２２】
高速データサービスは、データを有する情報を含む。図１−４に示された実施例では、前記データはパケットデータ（例えばＴＣＰ／ＩＰデータ）を含む。第２の通信装置１８５で受信されたデータは、（例えばイーサーネット接続を介して）第２のスイッチから又は第２のスイッチを有する拡張ケーブルモデム１５５Ａ（図２）から直接のものであることがある。
【００２３】
アダプタ１５５は、第２の通信装置１８５とアクセスポイント１５０をケーブルのインフラ１０５に接続し、それにより第２の通信装置１８５とアクセスポイント１５０がケーブルネットワークから高速データサービスを受信することができる。図示された実施例では、ケーブルモデム１５５は、プロセッサ１９０とメモリ１９５とを有する。メモリ１９５は、命令を有する１つ以上のソフトウェアモジュールを有し、プロセッサ１９０は、その命令を検索し、解釈し、実行して、ケーブルモデム１５５を制御する。当然のことながら、ケーブルモデム１５５は当該技術分野で既知の他の回路を有することがある。また、第２のスイッチ１６５の動作と、アクセスポイント１５０の１つ以上の動作（以下に説明される）は、ケーブルモデム１５５に組み込まれることがあり、又はその逆も同様であることを当業者は認識するであろう。
【００２４】
図１に示される通り、施設１３０はアクセスポイント１５０を更に有する。アクセスポイント１５０は、プロセッサ２００と、メモリ２０５と、無線周波数（ＲＦ）システムとを有する。メモリ２０５は、命令を有する１つ以上のソフトウェアモジュールを有し、プロセッサ２００は、１つ以上のソフトウェアモジュールの命令を検索し、解釈し、実行して、アクセスポイント１５０を制御する。ＲＦシステムは、受信機と、送信機と（合わせてトランシーバ２１０として示されている）、通信回路２１５（例えば、フィルタ、増幅器等）と、アンテナ２２０とを有する。ＲＦシステムは、複数の無線装置２３０から及びそれにＲＦ通信を送受信する。アンテナ２２０は、タワー若しくは支柱、又は屋根若しくは他の構造に備え付けられ、通信信号を放射又は受信する。放射パターンの範囲は、放射パターンの形式（例えば、無指向性放射パターン、指向性放射パターン等）と、アンテナ２２０により送信される出力量に依存する。アクセスポイント１５０は、当該技術分野で既知のＩＥＥＥ８０２．１１プロトコルを使用して、無線装置２３０と通信する。しかし、他のプロトコルも本発明で使用されることがある。本発明で使用され得る例示的なアクセスポイント１５０は、Ｓｙｍｂｏｌ  ＴｅｃｈｎｏｌｏｇｉｅｓのＳｐｅｃｔｒｕｍ２４  Ｅｔｈｅｒｎｅｔ（登録商標）  Ａｃｃｅｓｓ  Ｐｏｉｎｔの部品番号ＡＰ−３０２０−５００−ＵＳである。
【００２５】
１つ以上のスイッチ１４０とケーブルモデム１５５と同様に、アクセスポイント１５０の１つ以上の動作は、施設１３０の他の構成要素に組み込まれることがある。回路の位置と回路により実行される１つ以上の動作が施設１３０の回路の位置に依存しない回路をそれぞれの装置が有するため、１つ以上のスイッチ１４０とケーブルモデム１５５とアクセスポイント１５０の変更が可能である。
【００２６】
再び図１を参照すると、アクセスポイント１５０は、複数の無線装置２３０と無線で通信する。ここで使用される“無線装置”は、無線通信を可能にする無線ネットワークインタフェースを有する何らかの電子装置である。例示的な無線装置は、無線電話、ページャー、無線ＰＤＡ、無線コンピュータ（例えばラップトップ及び携帯用コンピュータ）、無線ハンドヘルド装置、無線インターネット装置等を含むが、それらに限定されない。
【００２７】
例示的な無線装置２３０Ａが、図５に概略的に示されている。図５を参照すると、無線装置２３０Ａは、無線アダプタ又はモデム２３５と、プロセッサ２４０と、メモリ２４５と、インタフェース２４８とを有する。無線モデム２３５は、無線装置２３０Ａが当該技術分野で既知のＩＥＥＥ８０２．１１プロトコルを使用してアクセスポイント１５０と無線で通信することを可能にするアンテナ２５０を有する。アクセスポイント１５０との通信は、モデム２３５がアクセスポイント１５０から高速の情報を受信することを有する。例示的な通信情報は、ＴＣＰ／ＩＰ互換の音声、映像及びデータのアプリケーションを含む。無線モデム２３５は、イーサーネット又はネットワーク接続を介してプロセッサ２４０に情報を提供する。
【００２８】
メモリ２４５は、命令を有する１つ以上のソフトウェアモジュールを有し、プロセッサ２４０は、１つ以上のソフトウェアモジュールの命令を検索し、解釈し、実行して、無線装置２３０Ａを制御する。例示的なソフトウェアモジュールは、オペレーティングシステム２５２と、通信モジュール２５５と、ブラウザ２６０とを含む。オペレーティングシステム２５２は、無線装置２３０Ａが動作することを可能にするプラットフォームを提供し、通信モジュールは、プロセッサ２４０が情報を送受信するために無線モデム２３５と通信することを可能にし、ブラウザ２６０は、ワールド・ワイド・ウェブ又は他の分散ネットワークにアクセス可能なツールを提供する。当然のことながら、メモリ２４５は他のモジュールを有することが可能であり、無線装置２３０Ａは更なるモジュールをダウンロードすることが可能である。例示的なモジュールは、無線装置２３０ＡがＴＣＰ／ＩＰ互換の音声、映像及びデータ通信を受信し、インターネットの他の部分と通信し、プライベートネットワークと通信することを可能にするためのモジュールを有する。
【００２９】
インタフェース２４８は、１つ以上の入力装置と１つ以上の出力装置とを有する。インタフェース２４８は、無線装置２３０Ａと相互作用する動作を可能にする。例示的な無線装置２３０Ａが示され、説明されたが、他の無線装置２３０も本発明で使用されることがある。
【００３０】
本発明を具体化する通信システム３００の第３の実施例が、図３に概略的に示されている。この実施例では、システム３００は、電話システム用の既存の有線インフラ３０５と、有線インフラ３０５に接続された複数の施設３１０とを一般的に有する。有線インフラ３０５は、サービスプロバイダの制御センタとデジタルスイッチとを有する電話局３１５を有する。制御センタは、複数の施設３１０に配信される情報又は素材を集める。有線インフラ３０５は、電話局３１５から複数の遠隔回線ユニット３２０に情報を配信するために、多数の銅線の対及び／又は光ファイバケーブル３１７（リピータを有するノード３１８を含む）を保持するケーブル束３１６を利用する。各ユニット３２０は、銅線の対を使用して、複数（例えば１００）の施設３１０にサービス提供する。
【００３１】
一般的に、有線インフラ３０５は、サービスプロバイダがその加入者に情報を配信することを可能にするネットワークに対応する。例えば、図３に示される実施例では、有線インフラ３０５は、電話サービスと双方向の高速データサービスを複数の施設３１０に配信するネットワークに対応する。更に、電話局３１５は他のネットワーク１３２（例えば、インターネット、公衆及びプライベートデータネットワーク、通信ネットワーク等）と通信するように動作可能である。電話局３１５と他のネットワーク１３２との間の通信は、有線及び／又は無線通信を介することがある。電話と高速データサービスを配信する既存の電話サービスプロバイダの例は、Ｉｌｌｉｎｏｉｓ州ＣｈｉｃａｇｏのＳＢＣ−Ａｍｅｒｉｔｅｃｈである。
【００３２】
再び図３を参照すると、システム３００は、有線インフラ３０５に接続された複数の施設３１０を有する。前述の通り、“施設”という用語は、サービスプロバイダからエンドサービス（例えば電話及びデータ転送サービス）を受信するビル、家、事務所、又は区画に構築されたそれと同様のものを含む地域の何らかの区画のことを参照する。地域の区画３３５と地域３３５に構築された住宅３３８とを有する例示的な施設３３０が図３に概略的に示されている。
【００３３】
施設３３０は、少なくとも１つのスイッチ３４０と、少なくとも１つのスイッチ３４０に接続された少なくとも１つの通信装置３４５と、少なくとも１つのスイッチ３４０に接続されたアクセスポイント３５０とを一般的に有する。施設１３０はまた、デジタル加入者線（ＤＳＬ）アダプタ（一般的に“ＤＳＬモデム”と呼ばれる）を一般的に有する。図３では、ＤＳＬモデムは、スイッチ３４０のうちの１つの動作を実行する１つ以上のソフトウェアモジュール（以下に説明される）を有する“拡張”ＤＳＬモデム３５５である。
【００３４】
スイッチ３４０はネットワークから情報を受信し、接続された１つ以上の通信装置３４５とアクセスポイント３５０にその情報を制御可能に転送又は送信する。スイッチ１４０と同様に、各スイッチ３４０は、統合された及び／又は別々の回路構成要素で構成されることがあり、アナログ及び／又はデジタルに基づくことがある。例えば、図３に示される通り、第１のスイッチ３６０は、高速データサービスから電話サービスを分離する回路（例えばスプリッタ）である。すなわち、第１のスイッチは、電話サービスに関連する第１の周波数帯域を有する第１のセットの信号を、高速データサービスに関連する第２の周波数帯域を有する第２のセットの信号から分離する。
【００３５】
図３では拡張ＤＳＬモデム３５５に組み込まれた第２のスイッチは、データパケットのアドレスに基づいて、パケットデータを制御可能に送信する。拡張ＤＳＬモデム３５５は、プロセッサ３７０とメモリ３７５とを有する。メモリ３７５は、命令を有する１つ以上のソフトウェアモジュールを有し、プロセッサ３７０は、１つ以上のソフトウェアモジュールの命令を検索し、解釈し、実行して、接続されたエンド装置（例えば第２の通信装置と無線装置）用の多数のアドレスを発行し、確認し、格納し、認識するように拡張ＤＳＬモデム３５５を制御する。格納されたアドレスに基づいて、第２のスイッチは、取り付けられたエンド装置へのデータの流れとそれからのデータの流れを制御する。拡張ＤＳＬモデムはまた、第２の通信装置（以下に説明される）とアクセスポイント３５０を有線インフラ３０５に接続し、それにより第２の通信装置とアクセスポイント３５０がＤＳＬネットワークから高速データサービスを受信することができる。図１に関連して前述された通り、第２のスイッチ３６５の動作とＤＳＬモデム３７０の機能が１つより多い装置に組み込まれることがあることを、当業者は認識するであろう。同様に、アクセスポイントの１つ以上の動作（以下に説明される）が、拡張ＤＳＬモデム３６５に組み込まれることがある。施設３３０の構成要素の構成に応じて、他の変形も可能である。
【００３６】
１つ以上の通信装置３４５は、１つ以上のスイッチ３４０を介して電話／ＤＳＬネットワークから情報を受信し、受信情報を解釈する。例えば、図３に示される通り、１つ以上の通信装置３４５は第１と第２の通信装置３８０と３８５を有する。
【００３７】
第１の通信装置３８０は、第１のスイッチ３６０から電話サービスを受信し、そのサービスをユーザに伝達する。更に、第１の通信装置３８０はユーザから情報を受信し（例えば、音声通信、ファクシミリ機を介した情報等）、第１のスイッチ３６０を介して電話／ＤＳＬネットワークにその情報を伝達する。例示的な第１の通信装置３８０は、電話と、ファクシミリ機と、同様の装置とを含む。
【００３８】
第２の通信装置３８５は、拡張ＤＳＬモデム３５５から高速データサービスを受信し、受信データを解釈する。図１の実施例と同様に、例示的な第２の通信装置３８５は、コンピュータと、インターネット装置と、個人データ端末と、同様の装置とを含む。高速データサービスはパケットデータ（例えばＴＣＰ／ＩＰデータ）を有する情報を含む。
【００３９】
再び図３を参照すると、施設３３０はアクセスポイント３５０を更に有する。前記と同様に、アクセスポイント３５０は、プロセッサ４００と、メモリ４０５と、ＲＦシステムとを有する。メモリ４０５は、命令を有する１つ以上のソフトウェアモジュールを有し、プロセッサ４００は、１つ以上のソフトウェアモジュールの命令を検索し、解釈し、実行して、アクセスポイント３５０を制御する。ＲＦシステムは、受信機と、送信機と（合わせてトランシーバ４１０として示されている）、通信回路４１５（例えば、フィルタ、増幅器等）と、アンテナ４２０とを有する。アンテナ４２０は、タワー若しくは支柱、又は屋根若しくは他の構造に備え付けられ、無線装置２３０にＲＦ信号を放射し、無線装置２３０からＲＦ信号を受信する。放射パターンの範囲は、放射パターンの形式（例えば、無指向性放射パターン、指向性放射パターン等）と、アンテナ４２０により送信される出力量に依存する。アクセスポイント３５０は、当該技術分野で既知のＩＥＥＥ８０２．１１プロトコルを使用して、無線装置２３０と通信する。しかし、他のプロトコルも本発明で使用されることがある。更に、１つ以上のスイッチ３４０と拡張ＤＳＬモデム３５５と同様に、アクセスポイント３５０の１つ以上の動作は、施設３３０の他の構成要素に組み込まれることがある。
【００４０】
アクセスポイント３５０は、複数の無線装置２３０と無線で通信する。前述の通り、無線装置２３０は、無線通信を可能にする無線ネットワークインタフェースを有する何らかの電子装置である。
【００４１】
本発明を具体化する通信システム５００の第４の実施例が、図４に概略的に示されている。この実施例では、システム５００は、既存の衛星インフラ５０５と、衛星インフラ５０５に接続された複数の施設５１０とを一般的に有する。衛星インフラ５０５は、サービスプロバイダの制御センタを有する地上局５１５を有する。制御センタは、複数の施設５１０に配信される情報又は素材を集める。衛星インフラ５０５は、１つ以上の衛星（例えば衛星５１７）に情報を伝達するために、地上局５１５で１つ以上の衛星送信機又はパラボラ（例えばパラボラ５１６）を利用する。衛星５１７は、複数の施設５１０に設置された１つ以上の衛星受信機又はパラボラ５１８に情報を中継する。各衛星パラボラ５１８は、衛星トランシーバ５１９に接続する。
【００４２】
一般的に、衛星インフラ５０５は、サービスプロバイダがその加入者に情報を配信することを可能にするネットワークに対応する。例えば、図４に示される実施例では、衛星インフラ５０５は、双方向の高速データサービスを複数の施設５１０に配信するネットワークに対応する。ネットワークはテレビサービスのような他のサービスを提供することがあり、地上局５１５は他のネットワーク１３２（例えば、インターネット、公衆及びプライベートデータネットワーク、通信ネットワーク等）と通信するように動作可能である。地上局５１５と他のネットワーク１３２との間の通信は、有線及び／又は無線通信を介することがある。衛星インフラを介して高速データサービスを配信する既存のサービスプロバイダの例は、ＤＩＲＥＣＴＷＡＹ（商標）サービスを提供するＭａｒｙｌａｎｄ州ＧｅｒｍａｎｔｏｗｎのＨｕｇｈｅｓ  Ｎｅｔｗｏｒｋ  Ｓｙｓｔｅｍｓである。
【００４３】
再び図４を参照すると、システム５００は、衛星インフラ５０５に接続された複数の施設５１０を有する。前述の通り、“施設”という用語は、サービスプロバイダからエンドサービス（例えばテレビ及びデータ転送サービス等）を受信するビル、家、事務所、又は区画に構築されたそれと同様のものを含む地域の何らかの区画のことを参照する。地域の区画５３５と地域５３５に構築された住宅５３８とを有する例示的な施設５３０が図４に概略的に示されている。
【００４４】
施設５３０は、少なくとも１つのスイッチ５４０と、少なくとも１つのスイッチ５４０に接続された少なくとも１つの通信装置５４５と、少なくとも１つのスイッチ５４０に接続されたアクセスポイント５５０とを一般的に有する。施設５３０はまた、アダプタ又は高速モデムを一般的に有する。図４では、高速モデムは、スイッチの動作を実行する１つ以上のソフトウェアモジュール（以下に説明される）を有する“拡張”高速モデム５５５である。更に、アクセスポイント５５０はまた、スイッチの動作を実行する１つ以上のソフトウェアモジュールを有する。
【００４５】
スイッチ５４０はネットワークから情報を受信し、接続された１つ以上の通信装置５４５と無線装置２３０にその情報を制御可能に転送又は送信する。スイッチ１４０と３４０と同様に、各スイッチ５４０は、統合された及び／又は別々の回路構成要素で構成されることがあり、アナログ及び／又はデジタルに基づくことがある。例えば、図４に示される通り、第１のスイッチ５６０は、高速データサービスからテレビ番組を分離する回路（例えばスプリッタ）である。第１のスイッチ５６０は、テレビサービスに関連する第１の周波数帯域を有する第１のセットの信号を、高速データサービスに関連する第２の周波数帯域を有する第２のセットの信号から分離する。
【００４６】
図４では拡張高速モデム５５５に組み込まれた第２のスイッチは、データパケットのアドレスが第１の通信装置に関連するアドレスに一致する場合に、パケットデータを接続された第１の通信装置に制御可能に送信する（以下に説明される）。拡張高速モデム５５５は、プロセッサ５７０とメモリ５７５とを有する。メモリ５７５は、命令を有する１つ以上のソフトウェアモジュールを有し、プロセッサ３７０は、１つ以上のソフトウェアモジュールの命令を検索し、解釈し、実行して、第１の通信装置にパケットデータを転送するために拡張高速モデム５５５を制御する。
【００４７】
図４ではアクセスポイント５５０に組み込まれた第３のスイッチは、取り付けられた無線エンド装置へのデータの流れとそれからのデータの流れを制御する。図１に関連して前述されたように、施設５３０の構成要素の構成に応じて、第１と第２と第３のスイッチの他の変形も可能であることを、当業者は認識するであろう。
【００４８】
１つ以上の通信装置５４５は、１つ以上のスイッチ５４０を介して衛星ネットワークから情報を受信し、受信情報を解釈する。例えば、図４に示される通り、１つ以上の通信装置は第１と第２の通信装置５８０と５８５を有する。
【００４９】
第１の通信装置５８０は、第１のスイッチ５６０からテレビサービスを受信し、そのテレビサービスをユーザに伝達する。例示的な第１の通信装置５８０は、セットトップボックス又は受信機、アナログ又はデジタルテレビ等を含む。第２の通信装置５８５は、拡張高速モデム５５５から高速データサービスを受信し、受信データを解釈する。図１の実施例と同様に、例示的な第２の通信装置５８５は、コンピュータ、インターネット装置、個人データ端末等を含む。
【００５０】
再び図４を参照すると、施設５３０はアクセスポイント５５０を更に有する。アクセスポイント５５０は、プロセッサ６００と、メモリ６０５と、ＲＦシステムとを有する。メモリ６０５は、命令を有する１つ以上のソフトウェアモジュールを有し、プロセッサ６００は、１つ以上のソフトウェアモジュールの命令を検索し、解釈し、実行して、アクセスポイント５５０を制御する。前述の通り、アクセスポイントはまた、第３のスイッチを有する。第３のスイッチは、命令を有する１つ以上のソフトウェアモジュールの形式であり、プロセッサ６００は１つ以上のソフトウェアモジュールの命令を検索し、解釈し、実行して、第３のスイッチがエンド装置用の多数のアドレスを発行し、確認し、格納し、認識するように制御し、格納されたアドレスに基づいてアクセスポイントにより送信された情報の流れを制御する。
【００５１】
ＲＦシステムは、受信機と、送信機と（合わせてトランシーバ６１０として示されている）、通信回路６１５（例えば、フィルタ、増幅器等）と、アンテナ６２０とを有する。ＲＦシステムはＲＦ通信を送受信する。アンテナ６２０は、タワー若しくは支柱、又は屋根若しくは他の構造に備え付けられ、無線装置２３０に信号を放射し、無線装置２３０から信号を受信する。アクセスポイント５５０は、当該技術分野で既知のＩＥＥＥ８０２．１１プロトコルを使用して、無線装置２３０と通信する。しかし、他のプロトコルも本発明で使用されることがある。更に、図１−３と同様に、無線装置は、無線通信を可能にする無線ネットワークインタフェースを有する何らかの電子装置である。
【００５２】
本発明は、既存のインフラ（例えば、ＤＳＬ、ケーブル又は衛星システム）を使用するため、新しい有線インフラは必要ない。このことは、ＴＣＰ／ＩＰ互換の音声、映像及びデータのアプリケーションのような情報転送に対応可能な高速の無線広域又は近郊システムを作るコストを劇的に減少させる。前述の既存のインフラは、既存の無線移動データシステムより大きいデータ転送速度を可能にする。更に、より大きい転送速度を可能にすることは、いくつかの既存の無線システムにより必要なデータのメッセージング、処理又は格納の要件を除去する。
【００５３】
動作中に、当該技術分野で周知のように、情報はインフラ１０５、３０５又は５０５を介して複数の施設１３０、３３０又は５３０に提供される。施設において、１つ以上のスイッチ１４０、３４０又は５４０は、１つ以上の通信装置１４５、３４５又は５４５とアクセスポイント１５０、３５０又は５５０への情報の流れを制御する。更に、モデム１６５、３６５又は５６５は、モデム１６５、３６５又は５６５により受信される信号を処理する。
【００５４】
例えば、図１に示される通り、第１のスイッチ１６０は、第１の周波数帯域を有する信号を、第２の周波数帯域を有する信号から分離する。非パケットデータを含む第１の周波数帯域の信号は、第１の通信装置１８０に提供される。第２の周波数帯域の信号は、ケーブルモデム１５５に提供される。ケーブルモデム１５５は、パケットデータを含む第２の周波数帯域の信号を処理し、そのデータを第２のスイッチ１６５に提供する。第２のスイッチ１６５は、各データパケットのアドレスを分析し、アドレスに従ってパケットの流れを制御する。特に、第２のスイッチ１６５は、第２の通信装置１８５のアドレスを確認し、そのアドレスに一致する装置１８５への全てのパケットを送信する。更に、第２のスイッチ１６５は、アクセスポイント２２０を介して第２のスイッチに接続された無線装置２３０のアドレスを発行し、確認し、格納する。第２のスイッチ１６５は、アクセスポイント１５０に接続された無線装置２３０のアドレスに一致するスイッチ１６５により受信された全てのデータパケットを送信する。
【００５５】
図２に示される実施例では、第１のスイッチ１６０は、第１の周波数帯域を有する信号を、第２の周波数帯域を有する信号から分離する。非パケットデータを含む第１の周波数帯域の信号は、第１の通信装置１８０に提供される。第２の周波数帯域の信号は、拡張ケーブルモデム１５５Ａに提供される。拡張ケーブルモデム１５５Ａは、パケットデータを含む第２の周波数帯域の信号を処理する。第２のスイッチの機能を実行する１つ以上のソフトウェアモジュールをも有する拡張ケーブルモデム１５５Ａは、各データパケットのアドレスを分析し、アドレスに従ってパケットの流れを制御する。特に、拡張ケーブルモデム１５５Ａは、第２の通信装置１８５のアドレスを確認し、そのアドレスに一致する装置１８５への全てのパケットを送信する。更に、拡張ケーブルモデム１５５Ａは、アクセスポイント２２０を介して拡張ケーブルモデムに接続された無線装置２３０のアドレスを発行し、確認し、格納する。拡張ケーブルモデム１５５Ａは、アクセスポイント１５０に接続された無線装置２２０のアドレスに一致する拡張ケーブルモデム１５５Ａにより受信された全てのデータパケットを送信する。図３に示される実施例の第１のスイッチ３６０と拡張ＤＳＬモデム３５５は、図２について説明された実施例と同様に実行する。
【００５６】
図４に示されるでは、第１のスイッチ５６０は、第１の周波数帯域を有する信号を、第２の周波数帯域を有する信号から分離する。非パケットデータを含む第１の周波数帯域の信号は、第１の通信装置５８０に提供される。第２の周波数帯域の信号は、拡張高速モデム５５５に提供される。拡張高速モデム５５５は、パケットデータを含む第２の周波数帯域の信号を処理する。第２のスイッチの機能を実行する１つ以上のソフトウェアモジュールをも有する拡張高速モデム５５５は、各データパケットのアドレスを分析し、アドレスに従ってパケットの流れを制御する。特に、拡張ケーブルモデム５５５は、第２の通信装置５８５のアドレスを確認し、そのアドレスに一致する装置５８５への全てのパケットを送信する。第２の通信装置のアドレスに一致しない全ての他のパケットは、アクセスポイント５５０に送信される。プロセッサにより実行されるソフトウェアモジュールを有するアクセスポイント５５０は、アクセスポイント５５０に接続された無線装置２３０のアドレスを発行し、確認し、格納する。アクセスポイント５５０は、アクセスポイント５５０に接続された無線装置２２０のアドレスに一致するアクセスポイント５５０により受信された全てのデータパケットを送信する。図４に示される実施例の変形では、アクセスポイントは受信した全てのデータパケットを送信することがある。パケットデータの送信は、パケットデータを含む信号を複数の接続された無線装置２３０に送信する何らかの既知の通信機構により実行されることがある。例えば、パケットは、ＩＥＥＥ８０２．１１標準を使用して、無線装置２３０に伝達されることがある。
【００５７】
従って、本発明は、特に無線近郊エリアネットワークを実施する新しく有用なシステムと方法を提供する。前記に示された通り、前記システムと方法は、専用の、独特の又は占有の固定の有線インフラを必要としない。その代わりに、それは既存のインフラを少なくとも部分的に使用する。更に、それは、高速（１から１００Ｍｂｐｓ）接続に対応し、統合された音声、映像及びデータサービスを同じネットワーク上で提供する業界に認められた国家標準と国際標準を利用することができる。本発明の多様な機能と利点が、特許請求の範囲に示される。
【図面の簡単な説明】
【００５８】
【図１】本発明を具体化する第１の通信システムを表す概念図であり、そのシステムは高速広域ネットワークに対応するように動作可能なケーブルＴＶ有線インフラを有する。
【図２】本発明を具体化する第２の通信システムを表す概念図であり、そのシステムは図１のケーブルのインフラを有する。
【図３】本発明を具体化する第３の通信システムを表す概念図であり、そのシステムは高速広域ネットワークに対応するように構成されたＤＳＬ有線インフラを有する。
【図４】本発明を具体化する第４の通信システムを表す概念図であり、そのシステムは高速広域ネットワークに対応するように構成された衛星インフラを有する。
【図５】図１−４の通信システムで使用され得る例示的な無線装置を表す概念図である。
【図６】従来技術の携帯電話システムを表す概念図である。
【図７】従来技術の無線ローカルエリアネットワークを表す概念図である。
【図１】
2005515688.tif 000003
【図２】
2005515688.tif 000004
【図３】
2005515688.tif 000005
【図４】
2005515688.tif 000006
【図５】
2005515688.tif 000007
【図６】
2005515688.tif 000008
【図７】
2005515688.tif 000009
【国際調査報告】
2005515688.tif 000010
2005515688.tif 000011